(57)【要約】【課題】椅子に座った状態でも安心して使用できる荷吊り用フック及び下部仕切り板を提供することを目的とする。【解決手段】本発明の荷吊り用フック１０は、隣接する遊技台Ｔの前方領域の下部を左右に仕切る下部仕切り板１００に取り付ける荷吊り用フック１０であって、肘を置くための上面を有する肘置き２０より下の空間に設けられ、下部仕切り板１００に対して着脱自在に取り付けることができる支持部材と、支持部材に支持されるフック１３と、を備える。【選択図】          図１
2018019938.tif 000002
【特許請求の範囲】
【請求項１】
隣接する遊技台の前方領域の下部を左右に仕切る下部仕切り板に取り付ける荷吊り用フックであって、
肘を置くための上面を有する肘置きより下の空間に設けられ、前記下部仕切り板に対して着脱自在に取り付けることができる支持部材と、
前記支持部材に支持されるフックと、
を備える
ことを特徴とする荷吊り用フック。
【請求項２】
前記支持部材は、
前記下部仕切り板に対して着脱自在に取り付けることができるブラケットと、
前記ブラケットに支持される軸部材と、
を備え、
前記フックは、前記軸部材に支持される
ことを特徴とする請求項１に記載の荷吊り用フック。
【請求項３】
前記軸部材は、前記ブラケットに挿通された状態で前記ブラケットに支持される
ことを特徴とする請求項２に記載の荷吊り用フック。
【請求項４】
前記フックは、前記軸部材が挿通された状態で前記軸部材に支持される
ことを特徴とする請求項２又は請求項３に記載の荷吊り用フック。
【請求項５】
前記ブラケットは、肘置きの下面に着脱自在に取り付けることができる
ことを特徴とする請求項２から請求項４のいずれか１項に記載の荷吊り用フック。
【請求項６】
前記フックは、前記軸部材に対して揺動自在である
ことを特徴とする請求項２から請求項５のいずれか１項に記載の荷吊り用フック。
【請求項７】
前記軸部材は水平に配置され、
前記フックは、前記肘置きの長手方向に沿って移動自在である
ことを特徴とする請求項２から請求項６のいずれか１項に記載の荷吊り用フック。
【請求項８】
前記フックは、前記軸部材に自然に吊り下げられた状態で前記下部仕切り板の側面と接触する
ことを特徴とする請求項２から請求項７のいずれか１項に記載の荷吊り用フック。
【請求項９】
隣接する遊技台の前方領域の下部を左右に仕切る下部仕切り板であって、
請求項２から請求項８のいずれか１項に記載の荷吊り用フックと、
前記ブラケットに取り付けられる前記肘置きと、を備える
ことを特徴とする下部仕切り板。
【発明の詳細な説明】
【技術分野】
【０００１】
本発明は、荷吊り用フック及び下部仕切り板に関するものである。
【背景技術】
【０００２】
従来から、椅子の使用者が椅子に座って作業する際に、手荷物を床などの目の届きにくい場所に置くことがある。しかしながら、使用者は作業中に荷物を見張ることができず、置き引きなどの被害にあうおそれがあるので、安心して作業できない。
特許文献１に開示された、荷吊り用フックは、机やテーブルなどの台の上面に引っ掛けて設置され、机やテーブルなどの上面に載置される支持体と、その支持体によって支持された略Ｓ字形状をなすフックとを備えたものであり、荷吊り用フックに手荷物を掛けることができる。
しかしながら、そのような荷吊り用フックは、机やテーブルなどの上面に支持体が載置されるだけであるので、荷吊り用フックとともに手荷物が落下するおそれがあり、フックの下に手荷物を吊る空間を要するので、支持体を載置するスペースも限られ、その実用性には改善する余地がある。
【先行技術文献】
【特許文献】
【０００３】
【特許文献１】特開２０１５−１４２６８４号公報
【発明の概要】
【発明が解決しようとする課題】
【０００４】
そこで、本発明は、上記問題点に鑑みなされたものであって、椅子に座った状態でも安心して使用できる荷吊り用フック及び下部仕切り板を提供することを目的とする。
【課題を解決するための手段】
【０００５】
上記目的を達成するために、以下の構成によって把握される。
（１）本発明の荷吊り用フックは、隣接する遊技台の前方領域の下部を左右に仕切る下部仕切り板に取り付ける荷吊り用フックであって、肘を置くための上面を有する肘置きより下の空間に設けられ、前記下部仕切り板に対して着脱自在に取り付けることができる支持部材と、前記支持部材に支持されるフックと、を備える。
【０００６】
（２）上記（１）の構成において、前記支持部材は、前記下部仕切り板に対して着脱自在に取り付けることができるブラケットと、前記ブラケットに支持される軸部材と、を備え、前記フックは、前記軸部材に支持される
【０００７】
（３）上記（２）の構成において、前記軸部材は、前記ブラケットに挿通された状態で前記ブラケットに支持される。
【０００８】
（４）上記（２）又は（３）の構成において、前記フックは、前記軸部材が挿通された状態で前記軸部材に支持される。
【０００９】
（５）上記（２）から（４）のいずれかの構成において、前記ブラケットは、肘置きの下面に着脱自在に取り付けることができる。
【００１０】
（６）上記（２）から（５）のいずれかの構成において、前記フックは、前記軸部材に対して揺動自在である。
【００１１】
（７）上記（２）から（６）のいずれかの構成において、前記軸部材は水平に配置され、前記フックは、前記肘置きの長手方向に沿って移動自在である。
【００１２】
（８）上記（２）から（７）のいずれかの構成において、前記フックは、前記軸部材に自然に吊り下げられた状態で前記下部仕切り板の側面と接触する。
【００１３】
（９）隣接する遊技台の前方領域の下部を左右に仕切る下部仕切り板であって、上記（２）から（８）のいずれかの構成の荷吊り用フックと、前記ブラケットに取り付けられる前記肘置きと、を備える。
【００１４】
本発明によれば、椅子に座った状態でも安心して使用できる荷吊り用フック及び下部仕切り板を提供できる。
【図面の簡単な説明】
【００１５】
【図１】下部仕切り板の正面図である。
【図２】下部仕切り板の平面図である。
【図３】下部仕切り板の右側面図である。
【図４】下部仕切り板の底面図である。
【図５】下部仕切り板の背面図である。
【図６】下部仕切り板の左側面図である。
【図７】荷吊り用フックの正面図である。
【図８】荷吊り用フックの平面図である。
【図９】荷吊り用フックの右側面図である。
【図１０】荷吊り用フックの底面図である。
【図１１】荷吊り用フックの背面図である。
【図１２】荷吊り用フックの左側面図である。
【図１３】図７のＡ矢視断面図である。
【発明を実施するための形態】
【００１６】
（実施形態）
以下、図面を参照して本発明を実施するための形態（以下、実施形態）について詳細に説明する。
【００１７】
図１から図６を参照して、荷吊り用フック１０を備える下部仕切り板１００について説明する。なお、以下では、下部仕切り板１００が設置された遊技台Ｔに対して向かっている使用者を基準として各方向を呼ぶこととする。つまり、図３における左、すなわち図１における手前を左方向とし、図３における右、すなわち図１における奥側を右方向とする。また、図１における左を奥側とし、図１における右を手前側とする。また、遊技台Ｔと使用者との間の空間を、前方領域と呼ぶこととする。
図１は下部仕切り板１００の正面図であり、図２は下部仕切り板１００の平面図であり、図３は下部仕切り板１００の右側面図であり、図４は下部仕切り板１００の底面図であり、図５は下部仕切り板１００の背面図であり、図６は下部仕切り板１００の左側面図である。
【００１８】
図１に示すように、下部仕切り板１００は、下部仕切り板本体３０と、下部仕切り板本体３０の上部の側面３０ａに沿って配置される肘置き２０と、肘置き２０の下面２０ｂに着脱自在に支持される荷吊り用フック１０と、を備える。
下部仕切り板１００は、隣接する遊技台Ｔの前方領域の下部を左右に仕切り、パチンコ等の遊技台Ｔに向かって図示しない椅子に隣り合って左右に並んで座っている使用者同士の空間を左右に仕切るものであり、図３に示すように、全体として板状のものである。なお、遊技台Ｔは、パチンコ等の遊技台に限らず、机やテーブルであってもよい。
【００１９】
下部仕切り板本体３０は、図１に示すように、下部に床支持部３２を備え、奥側に台支持部３１を備え、床支持部３２により床Ｆに支持され、台支持部３１により遊技台Ｔに支持される。
下部仕切り板本体３０の側面３０ａの上部には、ブラケット１１を介して肘置き２０が設けられており、使用者が遊技台Ｔに向かって、図示しない椅子に座ったときに、使用者の肘を肘置き２０の上面に置けるようになっている。
【００２０】
なお、図１から図６に示された下部仕切り板１００は、使用者が遊技台Ｔに向かって図示しない椅子に座ったときに、使用者の右側に配置され、使用者の右肘を肘置き２０の上面に置けるようにするため、肘置き２０が下部仕切り板本体３０の左側（図１における手前側）に設けられているが、使用者の左肘を肘置き２０の上面に置けるようにするため、下部仕切り板１００を使用者の左側に配置し、肘置き２０が下部仕切り板本体３０の右側（図１における奥側）に設けられてもよい。また、肘置き２０を下部仕切り板本体３０の両側に設けて、下部仕切り板本体３０の右側にいる使用者の肘と下部仕切り板本体３０の左側にいる使用者の肘を置けるようにしてもよい。
【００２１】
下部仕切り板本体３０の下部には、下部仕切り板本体３０に対して固定される位置が自在に調節可能となっている高さ調節部４０が設けられている。これにより、遊技台Ｔの高さに応じて、下部仕切り板１００の高さを調節できる。
【００２２】
肘置き２０は、全体として略直方体形状のものであり、上部にクッションが設けられる。
そして、肘置き２０の下面２０ｂにはブラケット１１が取り付けられ、ブラケット１１が下部仕切り板本体３０の側面３０ａに取り付けられることで、肘置き２０がブラケット１１を介して下部仕切り板本体３０に支持される。
【００２３】
次に、図７から図１３を参照して、荷吊り用フック１０について説明する。
図７は荷吊り用フック１０の詳細を示す正面図であり、図８は荷吊り用フック１０の詳細を示す平面図であり、図９は荷吊り用フック１０の詳細を示す右側面図であり、図１０は荷吊り用フック１０の詳細を示す底面図であり、図１１は荷吊り用フック１０の詳細を示す背面図であり、図１２は荷吊り用フック１０の詳細を示す左側面図であり、図１３は図７のＡ矢視断面図である。
【００２４】
図７に示すように、荷吊り用フック１０は、肘を置くための上面を有する肘置き２０の下面に着脱自在な肘置き取付部１１ａを有するブラケット１１と、ブラケット１１に挿通された状態でブラケット１１に支持される軸部材１２と、軸部材１２が挿通された状態で軸部材１２に支持されるフック１３と、軸部材１２の端部に螺合されるナット１４を備える。なお、ブラケット１１と軸部材１２を合わせて支持部材とも呼ぶ。
【００２５】
ブラケット１１は、肘置き２０の下面に沿って配置され、例えば取付ボルト（肘置き取付部１１ａ）によって肘置き２０に取り付けられる取付ボルト用挿通穴が形成された肘置き取付板１１ｂと、下部仕切り板本体３０の側面３０ａに沿って配置され、下部仕切り板本体３０の側面３０ａに取り付けられる取付ボルト用挿通穴が形成された下部仕切り板取付板１１ｃと、肘置き取付板１１ｂと下部仕切り板取付板１１ｃとに対して垂直に配置されて肘置き取付板１１ｂと下部仕切り板取付板１１ｃとを連結し、軸部材用挿通穴を有する一対の連結板１１ｄを備える。
【００２６】
ブラケット１１の一対の連結板１１ｄは互いに略平行に配置されて向かい合っており、両者は、フック１３の幅に比べて大きく離間している。これにより、フック１３が軸部材１２の軸方向（図７の矢印Ｂ方向）に沿って、ブラケット１１の一対の連結板１１ｄ間で自由に移動できる。
【００２７】
ブラケット１１は、例えば鋼製の平坦な板材に取付ボルト用挿通穴及び軸部材用挿通穴を形成し、肘置き取付板１１ｂと連結板１１ｄと下部仕切り板取付板１１ｃのそれぞれの境界部を折り曲げることによって形成できる。
【００２８】
ブラケット１１は、肘置き２０に取り付けられる取付ボルト用挿通穴が形成された肘置き取付板１１ｂと、下部仕切り板本体３０の側面３０ａに取り付けられる取付ボルト用挿通穴が形成された下部仕切り板取付板１１ｃとを備えるので、肘置き２０を直接、下部仕切り板１００に対して固定することなく、ブラケット１１を介して固定できる。また、肘置き２０とブラケット１１とをユニット化した後に、そのユニットを下部仕切り板本体３０の側面３０ａに取り付けたり、ブラケット１１を下部仕切り板本体３０に取り付けた後に、順次、ブラケット１１に対して肘置き２０、軸部材１２及びフック１３を取り付けたりできる。
【００２９】
軸部材１２は、例えば、雄ねじが設けられた軸部と頭部とからなる六角ボルトが用いられ、フック１３に形成された軸部材１２用挿通穴と、ブラケット１１が有する一対の連結板１１ｄに設けられた軸部材１２用挿通穴とに挿通された状態で、軸部材１２の軸部の雄ねじにナット１４が螺合される。
【００３０】
フック１３は、図１３に示すように、断面が略Ｌ字状のものであり、軸部材１２を挿通するための軸部材用挿通穴１３ｈを有する軸部材支持部１３ａと、軸部材支持部１３ａから垂下されて突起１３ｔが下部仕切り板本体３０の側面３０ａに接した状態で下部仕切り板本体３０に沿って延びる垂下部１３ｂと、一端が垂下部１３ｂの下端から水平に延び、手荷物を掛けるための上面を有する水平部１３ｃと、水平部１３ｃの他端から垂直に上に向けて延びる係止部１３ｄとを備える。
【００３１】
フック１３は、水平部１３ｃの上面に手荷物を載せたときの荷重に対して過度の変形及び損傷がないように、所定の剛性を有しており、図１３に示すように、内部が中空であって複数のリブで補強された外殻を有する構造となっている。
【００３２】
垂下部１３ｂは、軸部材支持部１３ａから垂下されて下部仕切り板本体３０に沿って延び、側面に突起１３ｔを有するので、手荷物をフック１３に掛けたときや使用者の身体がフック１３に掛けられた手荷物に接触するときに、フック１３が下部仕切り板本体３０に接し、フック１３が手荷物と共に揺動することがなく、フック１３に対して手荷物が安定して掛けられた状態にできる。
水平部１３ｃの上面は、一般的な手荷物の取っ手が載せられる幅となっている。
係止部１３ｄは、水平部１３ｃの他端から垂直に上に向けて延びるので、手荷物の取っ手等が水平部１３ｃの上面を滑って移動しても、係止部１３ｄに引っ掛かって移動が制限され、掛けた手荷物が落下しにくくなる。
【００３３】
また、フック１３は、フック１３に形成された軸部材用挿通穴１３ｈに軸部材１２が挿通されて自然に吊り下げられた状態で、図１３の実線で示すように、下部仕切り板本体３０の側面３０ａに接するように、形状と重心が設定される。そして、その姿勢において、フック１３に設けられた突起１３ｔが、下部仕切り板本体３０の側面３０ａに設けられた凸条部３０ｔに接している。よって、図１３の実線で示す姿勢から、矢印Ｃで示すように、軸部材１２の軸に対して時計回りの方向に、例えば略９０度の範囲で揺動自在になっている。
【００３４】
このように、フック１３は軸部材１２に自然に吊り下げられた状態で、軸部材１２の軸に対して所定の範囲で揺動自在であるので、手荷物をフック１３に掛ける際や使用者の身体がフック１３に掛けられた手荷物に接触した際に、フック１３が下部仕切り板本体３０の側面３０ａに接触してすぐに静止し、フック１３に掛けられた手荷物が安定しやすい。また、手荷物をフック１３から外す際はフック１３が揺動し、例えば図１３において２点鎖線で示すような姿勢となるので、手荷物をフック１３から外しやすい。
【００３５】
また、軸部材１２は肘置き２０の長手方向（図１及び図７における左右方向）に沿って水平に配置されるので、フック１３は、図７の矢印Ｂで示される方向に、軸部材１２に対して肘置き２０の長手方向に沿って移動自在となっている。
これにより、フック１３を使用者の近くである手前（図１及び図７における右側）に配置した状態で手荷物をフック１３に掛けることができ、その後で、フック１３に掛けられた手荷物を使用者から少し離れた奥側（図１及び図７における左側）に移動することができる。また、フック１３を使用者の近くである手前に配置した状態で手荷物をフック１３に掛けた場合、使用者の身体が手荷物に接触しても、手荷物が、使用者から離れる方向である奥側に移動するので、使用者が怪我をしたり、手荷物が損傷したりすることを抑制できる。
【００３６】
さらに、フック１３に手荷物を掛けた状態ではフック１３に設けられた突起１３ｔが、下部仕切り板本体３０の側面３０ａに設けられた凸条部３０ｔに接するので、フック１３に掛けられた手荷物が、意図せず肘置き２０の長手方向に沿って勢いよく移動しても、両者間の摩擦により、移動速度を徐々に下げて停止させることができる。また、手荷物を意図的に肘置き２０の長手方向に移動する際は、フック１３を図１３の２点鎖線の位置になるように、揺動させた状態で長手方向に移動すれば、突起１３ｔと凸条部３０ｔとの間の摩擦の影響がなく、滑らかに移動できる。
【００３７】
（組み立て手順）
以下、上記のように構成した荷吊り用フック１０の組み立て手順を説明する。
（１）ブラケット１１の下部仕切り板取付板１１ｃを、取付ボルトにより下部仕切り板本体３０の側面３０ａに取り付ける。
（２）ブラケット１１の肘置き取付板１１ｂに、肘置き２０の下面２０ｂを取り付ける。
（３）ブラケット１１の一方の連結板１１ｄの挿通穴に、軸部材１２である六角ボルトを通し、続いてフック１３に設けられた挿通穴にその六角ボルトを通し、さらにその六角ボルトを他方の連結板１１ｄの挿通穴に通し、その六角ボルトの他端に形成された雄ねじが、連結板１１ｄの挿通穴から外に出た状態にして、その雄ねじにナット１４を螺合する。
このようにして、下部仕切り板本体３０に対して、肘置き２０及び荷吊り用フック１０を簡単に取り付けられる。
【００３８】
なお、肘置き２０が予め取り付けられた荷吊り用フック１０のブラケット１１を、下部仕切り板本体３０の側面３０ａに対して取り付けてから、ブラケット１１に対して軸部材１２及びフック１３を取り付けてもよく、肘置き２０、軸部材１２及びフック１３が予め取り付けられた荷吊り用フック１０のブラケット１１を、下部仕切り板本体３０の側面３０ａに対して取り付けてもよい。
このように、ブラケット１１が、肘置き２０の下面２０ｂに着脱自在な肘置き取付板１１ｂと、下部仕切り板本体３０の側面３０ａに取り付け自在な下部仕切り板取付板１１ｃと、を備えるので、多様な組み合わせで部品をユニット化してから、下部仕切り板本体３０と肘置き２０と荷吊り用フック１０とを組み立てられる。
【００３９】
以上、本発明の好ましい実施形態について詳述したが、本発明に係る荷吊り用フック及び下部仕切り板は上述した実施形態に限定されるものではなく、特許請求の範囲に記載された本発明の要旨の範囲内において、種々の変形、変化が可能である。
【００４０】
例えば、上記実施形態において、荷吊り用フック１０は、肘を置くための上面を有する肘置き２０の下面に着脱自在な肘置き取付部１１ａを有するブラケット１１と、ブラケット１１に挿通された状態でブラケット１１に支持される軸部材１２と、軸部材１２が挿通された状態で軸部材１２に支持されるフック１３を備えるものとしたが、これに限らず、荷吊り用フック１０は、下部仕切り板本体３０に対して着脱自在に取り付けることができる支持部材と、支持部材に支持されるフックと、を備えるものとしてもよい。
具体的には、全体が略コの字型の支持部材を、平面視で略コの字型となる姿勢で仕切り板本体３０に対してボルト等で着脱自在に取り付け、その支持部材に、フック１３を支持させる。
このように、荷吊り用フック１０を、ブラケット１１と軸部材１２の両部材を用いない構造としてもよく、これにより、荷吊り用フック１０を簡素な構造にできる。
【００４１】
例えば、上記実施形態において、軸部材１２は、ブラケット１１に挿通された状態でブラケット１１に支持されるが、これに限らず、ブラケット１１に、軸部材１２を支持するアーム等の係止部を設けて、軸部材１２を、その係止部に係止した状態として、ブラケット１１に対して着脱自在に支持されるものとしてもよい。これにより、ブラケット１１に対して軸部材１２を取り付けしやすくなる。
【００４２】
例えば、上記実施形態において、フック１３は、軸部材１２に挿通された状態で軸部材１２に支持されるが、これに限らず、フック１３を、全体が略Ｓ字形状のものとして、ブック１３の上部に形成される係止部を軸部材１２に引っ掛けるように係止して、軸部材１２に対して着脱自在に支持されるものとしてもよい。これにより、軸部材１２に対してフック１３を取り付けしやすくなる。
【００４３】
本発明によれば、荷吊り用フックが、肘置きより下の空間に設けられるので、荷吊り用フックに掛けられた手荷物が視界に入りやすくなるとともに使用者の身体に近くなり、置き引きなどの被害にあう心配がなく、椅子に座った状態でも安心して荷吊り用フックを使用できる。
【００４４】
本発明によれば、荷吊り用フックが、肘置きより下の空間に設けられるので、肘置きの下面に取り付けられて配置されているので、手荷物の置き場として肘置きの下の空間を有効利用できるとともに、フックが手荷物とともに落下する心配がなく、荷吊り用フックを安心して使用できる。
【００４５】
本発明によれば、荷吊り用フックが、肘置きより下の空間に設けられるので、使用者の腕が上から下に移動する際に、その軌跡上にクッションを有する肘置きが存在することになり、使用者の肘等の身体が荷吊り用フックに接触して怪我をすることがなく、安全であり、荷吊り用フックを安心して使用できる。
【００４６】
本発明によれば、荷吊り用フックが、肘置きより下の空間に設けられるので、使用者からの視点では、荷吊り用フックは肘置きの下に隠れることになり、すっきりとした外観が得られる。
【００４７】
本発明によれば、ブラケットが、肘置きの下面に着脱自在に取り付けられるので、肘置がブラケットを介して下部仕切り板に取り付けることができ、肘置きを直接、下部仕切り板に取り付ける必要がなく、ブラケットを下部仕切り板に取り付けた後に、肘置きをブラケットに取り付けられる。
【００４８】
本発明によれば、荷吊り用フックが、ブラケットと軸部材とフックとを備える構造となっているので、下部仕切り板への取り付けが簡単であり、ブラケットと軸部材とフックとのユニットとしての組み立てもできる。
【００４９】
本発明によれば、軸部材が、ブラケットに挿通された状態でブラケットに支持されるので、ブラケットの剛性が向上して軸部材をしっかり支持できるとともに、軸部材がブラケットから外されて盗難される心配がない。
【００５０】
本発明によれば、フックが、軸部材が挿通された状態で軸部材に支持されるので、フックの剛性が向上して軸部材に対してしっかり支持されるとともに、フックが軸部材から外されて盗難される心配がない。
【００５１】
本発明によれば、フックが、軸部材の軸を中心として揺動自在であるので、手荷物をフックに掛けやすく、外しやすい。
【００５２】
本発明によれば、軸部材が水平に配置され、フックが、肘置きの長手方向に沿って移動自在であるので、使用者の身体の大きさや手荷物の大きさに合わせて手荷物を吊る位置を変えて、手荷物を使用者の身体の傍に位置させることができ、置き引き等を効果的に予防できる。また、使用者の身体と手荷物とが接触しにくくなるので、ストレスがなく、使用者が怪我をしたり手荷物が損傷したりすることを抑制できる。さらに、使用者の身体と手荷物が接触しても、手荷物に連動してフックが軸部材の軸方向に移動するので、使用者が怪我をしたり手荷物が損傷したりすることを抑制できる。
【００５３】
本発明によれば、フックが、軸部材に自然に吊り下げられた状態で下部仕切り板の側面と接触するので、フックに手荷物が掛けられた状態で手荷物が揺れても、フックが必要以上に揺れることがなく、手荷物が静止しやすい。
【００５４】
本発明によれば、隣接する遊技台の前方領域の下部を左右に仕切る下部仕切り板が、荷吊り用フックと、荷吊り用フックに設けられるブラケットに取り付けられる肘置きと、を備えるので、下部仕切り板が、遊技台の前方領域の狭い空間を仕切ることができるとともに、肘置きの機能を備えることができ、さらに、肘置きの下の空間を利用して手荷物が掛けられる。よって、狭い空間を有効利用できるとともに、手荷物を身体の傍に置くことで安心が得られるという、相乗効果が得られる。
【符号の説明】
【００５５】
１０    荷吊り用フック
１１    ブラケット
１１ａ  肘置き取付部
１１ｂ  肘置き取付板
１１ｃ  下部仕切り板取付板
１１ｄ  連結板
１２    軸部材
１３    フック
１３ａ  軸部材支持部
１３ｂ  垂下部
１３ｃ  水平部
１３ｄ  係止部
１３ｈ  軸部材用挿通穴
１３ｔ  突起
１４    ナット
２０    肘置き
２０ｂ  下面
３０    下部仕切り板本体
３０ａ  側面
３０ｔ  凸条部
３１    台支持部
３２    床支持部
４０    高さ調節部
１００  下部仕切り板
Ｂ      矢印
Ｃ      矢印
Ｆ      床
Ｔ      遊技台
【図１】
2018019938.tif 000003
【図２】
2018019938.tif 000004
【図３】
2018019938.tif 000005
【図４】
2018019938.tif 000006
【図５】
2018019938.tif 000007
【図６】
2018019938.tif 000008
【図７】
2018019938.tif 000009
【図８】
2018019938.tif 000010
【図９】
2018019938.tif 000011
【図１０】
2018019938.tif 000012
【図１１】
2018019938.tif 000013
【図１２】
2018019938.tif 000014
【図１３】
2018019938.tif 000015